(57)【要約】  ランダムアクセスに対する個別シグネチャーを割当及び選択する方法が提供される。個別シグネチャーを割り当てるオプションは、未使用空間がある場合に、ランダムシグネチャールートインデックスの未使用空間から個別シグネチャーを割り当てることと、追加的なシグネチャーが必要な場合に同一の時間／周波数リソースを用いる同一のルートインデックスから個別シグネチャーをさらに割り当てること、そしてプリアンブルの２セット両方からのコンテンションベースランダムアクセスプリアンブルからプリアンブルを予約することを含む。本発明は、また、個別シグネチャーが２セットのプリアンブルのそれぞれで予約されることを提案する。【選択図】図４Ａ
2010537472.tif 000002
【特許請求の範囲】
【請求項１】
無線移動端末機と基地局の間のランダムアクセス接続を要求する方法であって、
少なくとも一つのシグネチャールートシーケンスインデックス、巡回シフトパラメータ、及び第１伝送フォーマットに対応する第１シグネチャーセットと第２伝送フォーマットに対応する第２シグネチャーセットの間の境界を表すシグネチャーセット識別子を含む情報を受信し、
前記少なくとも一つのシグネチャールートシーケンスインデックス及び前記巡回シフトパラメータによってランダムアクセスシグネチャーを用意すること、
を含み、
前記ランダムアクセスシグネチャーの少なくとも一つは、前記第１シグネチャーセットと関連し、前記ランダムアクセスシグネチャーの残りは、前記第２シグネチャーセットと関連する、ランダムアクセス接続要求方法。
【請求項２】
前記シグネチャーセット識別子は、複数のステップを含み、
前記複数のステップのそれぞれは複数のシグネチャーを含む、請求項１に記載のランダムアクセス接続要求方法。
【請求項３】
前記シグネチャーセット識別子は、前記第１シグネチャーセットと前記第２シグネチャーセットの間の複数の既設定された境界のうちの一つを含む、請求項１に記載のランダムアクセス接続要求方法。
【請求項４】
基地局とのランダムアクセス接続を要求する移動端末機であって、
情報を送信する送信ユニットと、
情報を受信する受信ユニットと、
情報を表示するディスプレイユニットと、
ユーザからの入力を受信する入力ユニットと、
少なくとも一つのシグネチャールートシーケンスインデックス、巡回シフトパラメータ、及び第１伝送フォーマットに対応する第１シグネチャーセットと第２伝送フォーマットに対応する第２シグネチャーセットの間の境界を表すシグネチャーセット識別子を含む受信情報を処理し、前記少なくとも一つのシグネチャールートシーケンスインデックス及び前記巡回シフトパラメータによってランダムアクセスシグネチャーを用意する処理ユニットと、
を含み、
前記ランダムアクセスシグネチャーの少なくとも一つは、前記第１シグネチャーセットと関連し、前記ランダムアクセスシグネチャーの残りは、前記第２シグネチャーセットと関連する、移動端末機。
【請求項５】
前記シグネチャーセット識別子は、複数のステップを含み、
前記複数のステップのそれぞれは、複数のシグネチャーを含む、請求項４に記載の移動端末機。
【請求項６】
前記シグネチャーセット識別子は、前記第１シグネチャーセットと前記第２シグネチャーセットの間の複数の既設定された境界のうちの一つを含む、請求項４に記載の移動端末機。
【発明の詳細な説明】
【技術分野】
【０００１】
本発明は、ランダムアクセス（random access）に対する個別シグネチャー（dedicated signatures）を割当及び選択する異なる方法に関する。
【背景技術】
【０００２】
汎用移動通信システム（ＵＭＴＳ）は、ヨーロッパシステムベースの広帯域コード分割多重接続（ＷＣＤＭＡ）、移動通信用グローバルシステム（ＧＳＭ）及び一般パケット無線サービス（ＧＰＲＳ）で動作する３世代（３Ｇ）非同期式移動通信システムである。ＵＭＴＳのロング・ターム・エボリューション（ＬＴＥ）は、ＵＭＴＳを標準化する３世代パートナシッププロジェクト（３ＧＰＰ）で議論中にある。
【０００３】
３ＧＰＰ ＬＴＥは、高速パケット通信を可能にする技術である。ユーザ及びプロバイダの費用減少、サービス品質向上、及びカバレッジ及びシステム容量の拡張及び向上を含むＬＴＥの目標に対して多くの方式が提案されてきた。３Ｇ ＬＴＥは、上位レベル要件として、減少したビット当たりの費用、増加したサービス利用性、周波数帯域の柔軟な使用、単純な構造、公開されたインターフェース、及び端末の適切な電力消費を要求する。
【０００４】
図１は、進化した汎用移動通信システム（Ｅ−ＵＭＴＳ）のネットワーク構造を示すブロック図である。Ｅ−ＵＭＴＳは、ＬＴＥシステムとも称する。通信ネットワークは、広範囲に配置されて、音声及びパケットデータのような様々な通信サービスを提供する。
【０００５】
図１に示すように、Ｅ−ＵＭＴＳネットワークは、進化したＵＭＴＳ地上無線接続ネットワーク（Ｅ−ＵＴＲＡＮ）及び進化したパケットコア（ＥＰＣ）及び一つ以上のユーザ装置を含む。Ｅ−ＵＴＲＡＮは、一つ以上の発展型基地局Ｂ（evolved NodeB：ｅＮＢ）２０を含むことができ、複数のユーザ装置（ＵＥ）１０は、一つのセルに位置することができる。一つ以上のＥ−ＵＴＲＡＮモビリティ管理機能（mobility management entity：ＭＭＥ）／発展型システム・アーキテクチャ（system architecture evolution：ＳＡＥ）ゲートウェイ３０は、ネットワークの末端に設けられて、外部ネットワークと接続されることができる。
【０００６】
本明細書で、“ダウンリンク”は、ｅＮＢ ２０からＵＥ １０への通信を指し、“アップリンク”は、ＵＥからｅＮＢへの通信を指す。ＵＥ １０は、ユーザが携帯している通信装置で、移動局（ＭＳ）、ユーザ端末（ＵＴ）、加入者局（ＳＳ）または無線デバイスとも呼ばれる。
【０００７】
ｅＮＢ ２０は、ユーザプレーン及び制御プレーンのエンドポイントをＵＥ １０に提供する。ＭＭＥ／ＳＡＥゲートウェイ３０は、セッション及び移動性管理機能のエンドポイントをＵＥ １０に提供する。ｅＮＢ ２０及びＭＭＥ／ＳＡＥゲートウェイ３０は、Ｓ１インターフェースを通じて接続されることができる。
【０００８】
ｅＮＢ ２０は一般的にＵＥ １０と通信する固定局であり、基地局（ＢＳ）またはアクセスポイントとも呼ばれる。一つのｅＮＢ ２０がセルごとに配置されることができる。ユーザトラフィックまたは制御トラフィックを送信するためのインターフェースをｅＮＢ ２０同士間に使用することができる。
【０００９】
ＭＭＥは、ページングメッセージのｅＮＢ ２０への配信、保安制御、アイドル状態モビリティ制御、ＳＡＥベアラ制御、及び非アクセスストラタム（non-access stratum：ＮＡＳ）シグナリングの暗号化及び完全性保護を含む様々な機能を提供する。ＳＡＥゲートウェイホストは、ページング事由に対するＵ−プレーンパケットの終了及びＵＥ １０移動性を支援するＵ−プレーンスイッチングを含む様々な機能を提供する。
【００１０】
ＭＭＥ／ＳＡＥゲートウェイ３０は、明確性のために本明細書では単に「ゲートウェイ」と称する。しかし、ＭＭＥ／ＳＡＥゲートウェイ３０は、ＭＭＥ及びＳＡＥゲートウェイの両者を含むことは明らかである。
【００１１】
複数のノードがｅＮＢ ２０とゲートウェイ３０との間でＳ１インターフェースを通じて接続されることができる。ｅＮＢ ２０同士はＸ２インターフェースを通じて相互接続することができ、隣接のｅＮＢはＸ２インターフェースを持つメッシュネットワーク構造を有することができる。
【００１２】
図２Ａは、一般的なＥ−ＵＴＲＡＮ及び一般的なゲートウェイ３０の構造を示すブロック図である。図２Ａに示すように、ｅＮＢ ２０は、ゲートウェイ３０に対する選択、無線リソース制御（ＲＲＣ）活性化中のゲートウェイへのルーティング、ページングメッセージのスケジューリング及び送信、ブロードキャスト制御チャネル（ＢＣＣＨ）情報のスケジューリング及び送信、アップリンク及びダウンリンクの両方でＵＥ １０のための動的リソース割当、ｅＮＢ測定の構成及び準備、無線ベアラ制御、無線認可制御（Radio Admission Control；ＲＡＣ）、及びＬＴＥ＿ＡＣＴＩＶＥ状態で接続モビリティ制御のような機能を担うことができる。ＥＰＣで、ゲートウェイ３０は、ページング発信、ＬＴＥ＿ＩＤＬＥ状態管理、ユーザプレーン暗号化、発展型システム・アーキテクチャ（ＳＡＥ）ベアラ制御、及び非アクセス・ストラタム（ＮＡＳ）シグナリングの暗号化及び完全性保護のような機能を担うことができる。
【００１３】
図２Ｂ及び図２Ｃは、Ｅ−ＵＭＴＳのためのユーザプレーンプロトコル及び制御プレーンプロトコルスタックを示すブロック図である。図２Ｂ及び図２Ｃに示すように、プロトコル層は、通信システムの技術分野に公知されているオープンシステム相互接続（ＯＳＩ）標準モデルの下位の３層に基づいて第１層（Ｌ１）、第２層（Ｌ２）及び第３層（Ｌ３）に区別することができる。
【００１４】
物理層、すなわち、第１層（Ｌ１）は、物理チャネルを用いて上位層への情報送信サービスを提供する。物理層は、上位レベルに位置しているメディア・アクセス制御（Medium Access Control；ＭＡＣ）層に伝送チャネルを通じて接続され、伝送チャネルを通じてＭＡＣ層と物理層との間でデータ伝送がされる。データは、送信端の物理層と受信端の物理層の間のように、互いに異なる物理層の間で物理チャネルを通じて伝送される。
【００１５】
第２層（Ｌ２）のＭＡＣ層は、論理チャネルを通じて上位層の無線リンク制御（ＲＬＣ）層にサービスを提供する。第２層（Ｌ２）のＲＬＣ層は、信頼性あるデータの伝送を支援する。図２Ｂ及び２ＣにはＲＬＣ層が示されているが、ＭＡＣ層がＲＬＣ機能を行う場合にはＲＬＣ層は省かれるということに留意されたい。
【００１６】
第２層（Ｌ２）のＰＤＣＰ層は、余計な制御情報を減少させるヘッダ圧縮機能を担う。これは、相対的に小さい帯域幅を持つ無線インターフェースを通じてＩＰｖ４またはＩＰｖ６のようなインターネットプロトコル（ＩＰ）パケットを使用するデータを効率的に伝送させる。
【００１７】
第３層（Ｌ３）の最下位部に位置している無線リソース制御（ＲＲＣ）層は、制御プレーンでのみ定義され、構成、再構成、及び無線ベアラ（ＲＢ）のリリースと関連して論理チャネル、伝送チャネル及び物理チャネルを制御する。ＲＢは、ＵＥ １０とＥ−ＵＴＲＡＮとの間におけるデータ伝送のために第２層（Ｌ２）により提供されるサービスを意味する。
【００１８】
図２Ｂに示すように、ＲＬＣ及びＭＡＣ層は、ネットワーク側のｅＮＢ ２０で終了し、スケジューリング、自動再送要求（ＡＲＱ）、及びハイブリッド自動再送要求（ＨＡＲＱ）のような機能を果たす。ＰＤＣＰ層は、ネットワーク側のｅＮＢ ２０で終了し、ヘッダ圧縮、完全性保護、及び暗号化のようなユーザプレーン機能を果たすことができる。
【００１９】
図２Ｃに示すように、ＲＬＣ及びＭＡＣ層は、ネットワーク側のｅＮＢ ２０で終了し、制御プレーンにおけると同様の機能を果たす。図２Ｃに示すように、ＲＲＣ層は、ネットワーク側のｅＮＢ ２０で終了し、ブロードキャスティング、ページング、ＲＲＣ接続管理、無線ベアラ（ＲＢ）制御、移動性機能、及びＵＥ １０測定報告及び制御のような機能を担うことができる。図２Ｃに示すように、ＮＡＳ制御プロトコルは、ネットワーク側のゲートウェイ３０のＭＭＥで終了し、ＳＡＥベアラ管理、認証、ＬＴＥ＿ＩＤＬＥ移動性ハンドリング、ＬＴＥ＿ＩＤＬＥページング発信、及びゲートウェイとＵＥ １０の間のシグナリングに対する保安制御のような機能を担うことができる。
【００２０】
ＮＡＳ制御プロトコルは、３つの相異なる状態を用いることができる。ＬＴＥ−ＤＥＴＡＣＨＥＤ状態は、ＲＲＣエンティティがない場合に用いられる。ＬＴＥ＿ＩＤＬＥ状態は、最小ＵＥ １０情報を保存しながらＲＲＣ接続がない場合に用いられる。ＬＴＥ＿ＡＣＴＩＶＥ状態は、ＲＲＣ状態が確立された場合に用いられる。また、ＲＲＣ状態は、ＲＲＣ＿ＩＤＬＥ及びＲＲＣ＿ＣＯＮＮＥＣＴＥＤのような２つの相異なる状態に区分することができる。
【００２１】
ＲＲＣ＿ＩＤＬＥ状態で、ＵＥがＮＡＳによって構成された不連続受信（ＤＲＸ）を特定し、ＵＥにトラッキング領域でＵＥを唯一に識別するＩＤが割り当てられる限り、ＵＥ １０は、システム情報及びページング情報のブロードキャストを受信することができる。また、ＲＲＣ＿ＩＤＬＥ状態ではｅＮＢにいかなるＲＲＣコンテキストも保存されない。
【００２２】
ＲＲＣ＿ＣＯＮＮＥＣＴＥＤ状態で、ＵＥ １０は、Ｅ−ＵＴＲＡＮ ＲＲＣ接続及びＥ−ＵＴＲＡＮでのコンテキストを有し、これにより、データをｅＮＢに／から送信及び／または受信することが可能である。また、ＵＥ １０は、チャネル品質情報及びフィードバック情報をｅＮＢに報告することができる。
【００２３】
ＲＲＣ＿ＣＯＮＮＥＣＴＥＤ状態で、Ｅ−ＵＴＲＡＮは、ＵＥ １０の属しているセルを知っている。したがって、ネットワークは、ＵＥ １０に／からデータを送信及び／または受信し、ＵＥのハンドオーバーのような移動性を制御し、周辺セルに対するセル測定を行うことができる。
【００２４】
ＲＲＣ＿ＩＤＬＥモードで、ＵＥ １０は、ページングＤＲＸ（不連続受信）サイクルを特定する。具体的に、ＵＥ １０は、ＵＥ特定ページングＤＲＸサイクル別の特定ページング時期にページング信号をモニタリングする。
【００２５】
図３は、従来のＬＴＥハンドオーバー手順を示す。ＵＥ １０は、ソースｅＮＢ ２０に測定報告を伝送する（Ｓ１０２）。ソースｅＮＢ ２０は、ターゲットｅＮＢにＵＥ １０コンテキストと共にハンドオーバー要求メッセージを伝送する（Ｓ１０４）。
【００２６】
ターゲットｅＮＢ ２０は、ソースｅＮＢにハンドオーバー要求応答を伝送する（Ｓ１０６）。ハンドオーバー要求応答は、新しいＣＲＮＴＩ、ハンドオーバー命令メッセージの一部及びターゲットセルでのコンテンションフリー（contention-free）ランダムアクセスをするためのＵＥ １０個別接続シグネチャーのようなランダムアクセスに関する情報を含む。シグネチャーは、この時点に予約される。
【００２７】
ソースｅＮＢ ２０は、ＵＥにハンドオーバー命令を伝送する（Ｓ１０８）。ハンドオーバー命令は、新しいＣ−ＲＮＴＩ及びＵＥ １０が使用するための個別シグネチャーのようなランダムアクセスに関する情報を含む。
【００２８】
ランダムアクセス手順は、ＵＥ １０がタイミングアドバンス（ＴＡ）値を獲得するために、ハンドオーバー命令以後にターゲットセルで行われる。このようなランダムアクセス手順は、衝突を回避するために、シグネチャーがＵＥ １０に予約されるコンテンションフリーである。
【００２９】
ＵＥ １０は、個別シグネチャーを用いてランダムアクセスプリアンブルを伝送し、これによりターゲットｅＮＢ ２０でランダムアクセス手順を始める（Ｓ１１０）。ターゲットｅＮＢ ２０は、ランダムアクセス応答メッセージをＵＥ １０に伝送する（Ｓ１１２）。ランダムアクセス応答メッセージは、ＴＡ及びアップリンクリソース割当を含む。ＵＥ １０は、ハンドオーバー完了メッセージをターゲットｅＮＢ ２０に伝送する（Ｓ１１４）。
【００３０】
ＬＴＥランダムアクセス手順は、コンテンションベース（contention-based）またはコンテンションフリーのいずれか一方でありうる。ＵＥ １０が使用可能なシグネチャーのセットからプリアンブルをランダムに選択する場合、ランダムアクセスプリアンブルはコンテンションベースである。ＵＥ １０が使用するシグネチャーが個別シグナリングを通じてｅＮＢ ２０から割り当てられる場合、ランダムアクセスプリアンブルはコンテンションフリーである。
【発明の概要】
【発明が解決しようとする課題】
【００３１】
個別シグネチャー割当は、ハンドオーバー時に及びＵＥ １０が時間−整列されていない場合にはダウンリンクデータの到着時に発生することができる。コンテンションベース及びコンテンションフリーの両方に対するランダムアクセスプリアンブルは、ゼロ相関領域を持ったZadoff-Chuシーケンス（ZC-ZCZ; Zadoff-Chu sequence with Zero Correlation Zone）に基づくべきである。現在、ＬＴＥランダムアクセス手順は、２セットのシグネチャーを用いる。
【課題を解決するための手段】
【００３２】
本発明の一様態で、無線移動端末と基地局の間の無線接続接続を要求する方法が提供される。この方法は、少なくとも一つのシグネチャールートシーケンスインデックス、巡回シフトパラメータ、及び第１伝送フォーマットに対応する第１シグネチャーセットと第２伝送フォーマットに対応する第２シグネチャーセットとの境界を表すシグネチャーセット識別子を含む情報を受信する段階と、前記少なくとも一つのシグネチャールートシーケンスインデックス及び前記巡回シフトパラメータによってランダムアクセスシグネチャーを用意する段階と、を含み、前記ランダムアクセスシグネチャーの少なくとも一つは、前記第１シグネチャーセットと関連し、前記ランダムアクセスシグネチャーの残りは、前記第２シグネチャーセットと関連する。
【００３３】
前記シグネチャーセット識別子は複数のステップを含み、前記複数のステップのそれぞれは、複数のシグネチャーを含むことが考慮される。前記シグネチャーセット識別子は、前記第１シグネチャーセットと前記第２シグネチャーセットとの間の複数の既設定された境界のうちの一つを含むことがさらに考慮される。
【００３４】
本発明の他の様態で、基地局とのランダムアクセス接続を要求する移動端末機が提供される。この移動端末機は、情報を送信する送信ユニット、情報を受信する受信ユニット、情報を表示するディスプレイユニット、ユーザからの入力を受信する入力ユニットと、少なくとも一つのシグネチャールートシーケンスインデックス、巡回シフトパラメータ、及び第１伝送フォーマットに対応する第１シグネチャーセットと第２伝送フォーマットに対応する第２シグネチャーセットとの境界を表すシグネチャーセット識別子を含む受信情報を処理し、前記少なくとも一つのシグネチャールートシーケンスインデックス及び前記巡回シフトパラメータによってランダムアクセスシグネチャーを用意する処理ユニットと、を含み、前記ランダムアクセスシグネチャーの少なくとも一つは、前記第１シグネチャーセットと関連し、前記ランダムアクセスシグネチャーの残りは、前記第２シグネチャーセットと関連する。
【００３５】
前記シグネチャーセット識別子は、複数のステップを含み、前記複数のステップのそれぞれは、複数のシグネチャーを含むことが考慮される。前記シグネチャーセット識別子は、前記第１シグネチャーセットと前記第２シグネチャーセットとの間の複数の既設定された境界のうちの一つを含むことがさらに考慮される。
【００３６】
本発明の追加的な特徴及び長所は後述する明細書から説明され、部分的には説明から明らかになるか、または、本発明の実施からわかることができる。本発明の上述した一般的な説明及び後述する詳細な説明は両方も例示的で説明的なものであり、請求される発明の追加的な説明を提供するためのものであることは明らかである。
【００３７】
これら及びその他の実施形態は、添付の図面を参照して後述する実施形態の詳細な説明から、当業者には容易且つ明白になり、本発明は、開示された特定実施形態に制限されることはない。
【発明の効果】
【００３８】
第１方式は、コンテンションベースランダムアクセスで用いられるプリアンブルから完全に独立した多数のプリアンブルを生成できるという利点がある。第２方式は、追加的なＺＣインデックスが要らず、新しいルートシーケンスを用いる必要がないという利点がある。第３方式は、追加的なＺＣインデックスが要求されないという利点がある。第４方式は、コンテンションフリーＲＡＣＨに利用可能なプリアンブルの個数が減少することによって衝突確率を増加させるという欠点がある。
【図面の簡単な説明】
【００３９】
【図１】Ｅ−ＵＭＴＳのネットワーク構造を示す図である。
【図２Ａ】Ｅ−ＵＴＲＡＮ及びゲートウェイの構造を示す図である。
【図２Ｂ】Ｅ−ＵＭＴＳに対するユーザ−プレーンプロトコル及び制御−プレーンプロトコルを示す図である。
【図２Ｃ】Ｅ−ＵＭＴＳに対するユーザ−プレーンプロトコル及び制御−プレーンプロトコルを示す図である。
【図３】ＬＴＥに対する従来のハンドオーバー手順を示す図である。
【図４Ａ】本発明の一実施例による個別シグネチャー割当方法を示す図である。
【図４Ｂ】本発明の一実施例による個別シグネチャー割当方法を示す図である。
【図５】本発明による移動局のブロック図である。
【発明を実施するための形態】
【００４０】
添付の図面は、本発明の追加的な理解を提供するために含まれ、本明細書に組み込まれて一部分を構成し、本発明の原理を説明するために提供される説明と共に本発明の実施形態を示す。互いに異なる図面で同一の参照番号によって参照される本発明の特徴、要素、及び様態は、一つ以上の実施形態による同一、均等、または類似の特徴、要素、または様態を示す。
【００４１】
以下、本発明の好適な実施形態について詳細に説明し、それらの例示を添付の図面に示す。本発明は、個別シグネチャーを割り当てる数個の方式を提示する。
【００４２】
第１方式において、シグネチャーは、区別されたルートシーケンスから割り当てられる。この方式で、コンテンションフリーランダムアクセスに用いられるシグネチャーは、コンテンションベースランダムアクセスプリアンブルを生成するために用いられるＺＣルートシーケンスと異なるＺＣルートシーケンスを用いて生成される。
【００４３】
第１方式は、コンテンションベースランダムアクセスで用いられるプリアンブルから完全に独立した多数のプリアンブルを生成できるという利点を有する。一方、第１方式は、セルで新しいルートシーケンスを用いることが結果としては、干渉の増加、セル当たり使用されるルートシーケンスの増加、及び相互相関及び検出の複雑度増加につながるという欠点を有する。
【００４４】
第２方式において、シグネチャーは、ランダムシグネチャールートインデックスの未使用の空間から割り当てられる。この方式で、異なるコードリソースが個別及びランダムシグネチャーに対して使用される。
【００４５】
巡回シフト値がセルサイズに関連し、よって、所定のセルサイズでシフトが最大伝播遅延よりも大きくなければならないため、コンテンションベースシグネチャー機会で用いられる最後のシーケンスインデックスは、６４シグネチャーを生成するために必ずしも完全に割り当てられる必要はない。これにより、残余未使用のシグネチャーがコンテンションフリー接続手順に割り当てられることができる。
【００４６】
第２方式は、追加的なＺＣインデックスが必要でなく、新しいルートシーケンスを用いる必要がないという利点を有する。一方、第２方式は、残余シグネチャー機会の個数が固定されず、セルサイズ、すなわち、巡回シフトの長さによって０になることもあるという欠点を有する。
【００４７】
第３方式において、シグネチャーは、異なる時間／周波数リソースを用いる同一のルートインデックスから割り当てられる。同一のコードリソースが個別及びランダムシグネチャーに対して使用される。この方式で、コンテンションベース及びコンテンションフリーＲＡＣＨシグネチャー機会は、同一のＺＣシーケンスインデックスを通じて同一の巡回シフトされたバージョンから割り当てられる。
【００４８】
第３方式の利点は、追加的なＺＣインデックスが要求されないこと、すなわち、新しいルートシーケンスを使用する必要がないということである。一方、第３方式は、コンテンションフリーとコンテンションベースプリアンブルの間にコード区別がないため、コンテンションフリー及びコンテンションベースのプリアンブル間の区別が、ＲＡＣＨに使用された時間／周波数リソースによって行われ、そのため、追加的なシグナリングが要求されるという欠点を有する。
【００４９】
第４方式で、シグネチャーは、同一の時間／周波数リソースを用いる同一のルートインデックスから割り当てられる。この方式は、コンテンションベースランダムアクセス手順で使用されるプリアンブルのセットから準静的方式でいくつかのプリアンブルの予約を許容することから構成される。例えば、１６プリアンブルが予約されることができる。第４方式は、コンテンションフリーＲＡＣＨに利用可能なプリアンブルの個数が減少することによって衝突確率を増加させるという欠点を有する。
【００５０】
好ましい方式は、第２方式及び第４方式のハイブリッドである。このハイブリッド方式は、新しいルートシーケンス及びシグナリングによって取り込まれる干渉を最小化するために、上記４つの方式の利点及び欠点を考慮する。
【００５１】
ハイブリッド方式は、未使用の空間があれば、ランダムシグネチャールートインデックスの未使用空間から個別シグネチャーを割り当てる。第４方式は、個別シグネチャーがさらに必要であり、いくつかのプリアンブルがコンテンションベースランダムアクセスプリアンブルから予約される場合に用いられる。コンテンションベースシグネチャーセットの中で予約可能なシグネチャーの個数はあらかじめ設定される。
【００５２】
図４は、本発明による個別シグネチャー割当を示す図である。図４で、ＵＥ １０は、ＵＥが個別シグネチャーを使用するセルで利用される巡回シフト値及びルートシーケンスを知り、個別シグネチャーの割当のためにハイブリッド方法が用いられると仮定する。
【００５３】
ＵＥ １０の使用のためにどんなシグネチャーが予約されたかをＵＥに指示する一つの方法は、利用可能なシグネチャーの全体個数の中でいずれかの数を単純に指示することであり、ＵＥは、シグネチャーを生成するためにＵＥが何回の巡回シフトを適用しなければならないかがわかる。利用可能なシグネチャーの全体個数は、所定のセルで使用された全てのルートシーケンスから生成されうるシグネチャーの個数である。巡回シフト数が、ルートシーケンス＃Ａに適用可能な巡回シフトの最大数よりも高いと、ＵＥ １０は、ルートシーケンス＃Ｂに巡回シフトを適用しなければならないということが事実上わかる。
【００５４】
しかし、このような方法は、ｅＮＢ ２０が少なくても６ビットの情報をＵＥ １０に伝送することを要求する。この方法を最適化するいくつかのオプションが存在する。全てのオプションに対して、ＢＣＣＨ上でブロードキャスティングするようにして、コンテンションベース接続を行うＵＥ １０に、予約されたシグネチャーの数を指示しなければならない。
【００５５】
個別シグネチャーを割り当てる第１オプションは、情報ビットの数を６ビットよりも小さく減少させることであり、図４Ａにおいて矢印で示すように、予約が許可されるコンテンションベースランダムアクセスに対するシグネチャーがルートシーケンスから生成された最後のシグネチャーであり、末端からナンバリングが始まると標準で定義することによる。
【００５６】
第１オプションは、例えば、予約できるシグネチャーの数が１６と固定されている場合に単に４ビットが必要であるように、予約できるシグネチャーの数に依存する。例えば、ｅＮＢ ２０は、シグネチャー６４を予約し、情報“３”をＵＥ １０に伝送できる。図４Ａに示すように、３個の未使用シグネチャーが利用可能である。第１オプションは、予約されたシグネチャーに対するＺＣインデックス上の空間が連続的であり、未使用空間前にインデックスの最後に位置することを要求する。
【００５７】
第１オプションの一つの欠点は、予約できるシグネチャーが全て同一のセットからであるため、ＵＥ １０が要求されるリソース／チャネル品質を表示することのように、セットを選択できないということである。第１オプションは、また、ただ一つのセットでコンテンションベースに利用可能なシグネチャーの個数を減少させ、ユーザのただ一つのカテゴリーに対する衝突可能性を増加させる。
【００５８】
個別シグネチャーを割り当てる第２オプションは、第１オプションの欠点に対処するものである。第２オプションは、コンテンションベースランダムアクセスに対して用いられる６４シグネチャーのうち、インデックスの最後に予約されたシグネチャーを割り当てる代わりに、２セットのシグネチャーの間でセットの大きさに比例するように個別シグネチャーを割り当てる。
【００５９】
例えば、６４コンテンションベースランダムアクセスシグネチャーのうち、Ｎｒシグネチャーが予約できると、それらのシグネチャーは、一部分は第１セットの終端に存在し、他の部分は第２セットの始端に存在するように２セットの間に予約される。２セットのうちそれぞれのセットで予約されるシグネチャーの数は、下記の数式によって計算することができる：
NRset1=ceil(Nset1/64*(Nr-Nunused))であり、
NRset2=Nr-NRset1-Nunused
ここで、
Nset1   セット１のシグネチャーの数
Nset2   セット２のシグネチャーの数
Nunused  ルートシーケンスで使用されないシグネチャーの数
NRset1   セット１で予約されたシグネチャーの数
NRset2   セット２で予約されたシグネチャーの数
Ceil     整数（upper integer）を表す。
【００６０】
第２オプションにどんなシグネチャーを利用するかをＵＥ １０に指示する２つの代案がある。第１代案は、やや最適化し足りない代案で、ＺＣインデックスの未使用空間で利用可能なシグネチャーの数に依存する所定の上限と共に、６から８ビットまでの数を持つシグネチャーを指示する。
【００６１】
図４Ｂに示す第２代案は、予約されうるシグネチャーの数に依存しているオフセット情報のビット数と共に、使用するシグネチャーを指示するためにオフセット情報を伝送することで構成される。例えば、未使用空間無しで１６シグネチャーが個別化される場合には、４ビットが必要である。カウンティングは、図４Ｂのセット１の最初の予約可能なシグネチャーからセット２の最後の予約可能なシグネチャーに向かって行われる、または、シグネチャーがインデックスの未使用空間から提供された場合には、インデックスの終端からシーケンスの始端に向かって行われる。
【００６２】
図４Ｂに示すように、ＵＥ １０は、個別シグネチャーを割り当てるために、第２オプションの２グループのシグネチャーの間で選択しなければならない。図３に示すメッセージ３（Message 3）でデータ伝送に対するリソース割当を最適化するために、ＵＥ １０は、要求されるリソースによるシグネチャーを受け取ることができ、ｅＮＢ ２０が、個別シグネチャーと共にメッセージ３で使用される伝送フォーマットをＵＥに指示することができる。
【００６３】
個別シグネチャーを選択するためのこのオプションの利点は、ｅＮＢ ２０がただ一つのシグネチャーを指定するということである。このオプションの欠点は、図３に示すメッセージ３の大きさが、割り当てられたシグネチャーを収容しなければならないということである。
【００６４】
個別シグネチャーを選択するための代案オプションは、ｅＮＢ ２０がそれぞれのシグネチャーセットから一つずつ毎度２個のシグネチャーを予約し、ＵＥ １０が送信すべきデータの量によってシグネチャーを選択することである。ｅＮＢ ２０は、ＵＥ １０がそれぞれの予約された個別シグネチャーに対して、図３に示すメッセージ３のどのような伝送フォーマット及び／または無線条件を使用できるかを指示しなければならない。このオプションの欠点は、２シグネチャーが予約されなければならないということである。
【００６５】
図５は、移動局（ＭＳ）またはＵＥ １０のブロック図である。ＵＥ １０は、プロセッサ（または、デジタル信号プロセッサ）５１０、ＲＦモジュール５３５、電力管理モジュール５０５、アンテナ５４０、バッテリー５５５、ディスプレイ５１５、キーパッド５２０、メモリ５３０、ＳＩＭカード５２５（オプションでありうる）、スピーカー５４５及びマイクロホン５５０を含む。
【００６６】
ユーザが、例えば、キーパッド５２０のボタンを押したり、または、マイクロホン５５０を用いた音声駆動によって電話番号のような指示情報を入力する。マイクロプロセッサ５１０は、指示情報を受信及び処理して、電話番号をダイヤルするなどの、適切な機能を行う。動作データが加入者アイデンティティモジュール（ＳＩＭ）カード５２５またはメモリモジュール５３０から抽出されて、機能を果たすことができる。また、プロセッサ５１０は、ユーザの参照及び便宜のために、指示及び動作情報をディスプレイ５１５に表示することができる。
【００６７】
プロセッサ５１０は、指示情報をＲＦモジュール５３５に提供し、例えば、音声通信データを含む無線信号を伝送するなど、通信を開始する。ＲＦモジュール５３５は、無線信号を受信及び送信するための受信機及び送信機を含む。アンテナ５４１は、無線信号の送信及び受信を容易にする。無線信号を受信すると、ＲＦモジュール５３５は、プロセッサ５１０による処理のために信号を基底帯域周波数にフォーワーディング及び変換する。処理された信号は、聞くことのできるまたは読むことのできる情報に変換され、例えば、スピーカー５４５を通じて出力される。プロセッサ５１０は、本明細書に説明された様々な処理を行うために必要なプロトコル及び機能を含む。
【００６８】
実施例によって、本発明は、全的にハードウェア具現、全的にソフトウェア具現、またはハードウェア及びソフトウェア構成要素を含む具現の形態を有することができる。ソフトウェア具現は、ファームウェア、常駐ソフトウェア、マイクロコードなどを含むことができるが、これに制限されない。
【００６９】
また、本発明は、コンピュータまたは任意の命令実行システムによりまたはこれらに接続されることによって使用されるプログラムコードを提供するコンピュータ利用可能またはコンピュータ読み取り可能媒体からアクセス可能なコンピュータプログラム製品の形態を有することができる。本説明の目的のために、コンピュータ利用可能またはコンピュータ読み取り可能媒体は、命令実行システム、装置、またはデバイスによりまたはこれらに接続されることによって使用されるプログラムを包含、記憶、通信、伝播、または伝送できる任意の装置でありうる。
【００７０】
プログラムコードを記憶及び／または実行するのに適したデータ処理システムは、システムバスを通じてメモリ要素と直接的または間接的に接続された一つ以上のプロセッサを含む。メモリ要素は、プログラムコードの実際実行中に用いられるローカルメモリ、バルク貯蔵所、及び実行中にバルク貯蔵所からコードが抽出されなければならない回数を減少するために少なくともいくつかのプログラムコードの臨時貯蔵所を提供するキャッシュメモリを含むことができる。
【００７１】
他の構成要素がシステムに接続されることができる。入力／出力またはＩ／Ｏ装置（キーボード、ディスプレイ、ポインティング装置などを含むが、これに限定されることはない）は、直接または媒介Ｉ／Ｏ制御機を通じてシステムに接続されることができる。ネットワークアダプター（例えば、モデム、ケーブルモデム、イーサネット（登録商標）カード）はシステムと接続されて、データプロセシングシステムが他のプロセシングシステムまたは遠隔プリンタまたは記憶デバイスと媒介私設または公衆ネットワークを通じて接続されるようにする。
【００７２】
ロジックコード、プログラム、モジュール、プロセス、方法、及びそれぞれの方法のそれぞれの要素が行われる順序は、あくまでも例示的なものであることを明らかにしたい。実施形態によって、本開示で別の指示がされない限り、それらは任意の順序でまたは並列的に行われることもできる。また、ロジックコードは或る特定プログラミング言語と関連したり制限されず、分散、非分散、または多重プロセシング環境の一つ以上のプロセッサ上で実行される一つ以上のモジュールを含むことができる。
【００７３】
上述した方法は、集積回路チップの製造で用いられることができる。結果的な集積回路チップは、未加工のウエハ形態で（すなわち、多数のパッケージされていないチップを有する単一ウエハとして）、ベアダイ（bare die）として、またはパッケージングされた形態で製造者により分配されることができる。後者の場合、（マザーボードまたは他の上位レベルキャリアに付着されるリードを有するプラスチックキャリアのような）単一チップパッケージまたは（埋め込みインターコネクションまたは表面インターコネクションのいずれか一方または両方を有するセラミックキャリアのような）マルチチップパッケージにチップが実装される。
【００７４】
いずれの場合にも、チップは（ａ）マザーボードのような中間製品、または（ｂ）最終製品の一部分として他のチップ、分離回路要素、及び／または他の信号処理デバイスと一緒に集積される。最終製品は、おもちゃ及びその他の低級（low-end）アプリケーションからディスプレイ、キーボードまたはその他の入力装置、及び中央プロセッサを持つ高級コンピュータ製品に至る、集積回路チップを含む任意の製品にもなりうる。
【００７５】
したがって、本発明が添付の特許請求の範囲の思想及び範囲内で修正及び変更を加えて実行されることができることは明らかである。発明の詳細な説明は、開示された形態そのままに本発明を総網羅したり制限するためのものではない。開示された実施形態の上記の及び様々な他の適用及び組合せは本発明の範囲内に含まれ、特許請求の範囲及びその均等物の全体範囲によりさらに定められる。
【００７６】
本発明は、その思想または必須な特徴を逸脱しない限度内で様々な形態で具現されることができるので、上記の実施形態は、特に特定されない限り、前述した説明の細部内容によって制限されることはなく、添付の特許請求の範囲の思想及び範囲内で定義されるものとして広く解釈しなければならないことが理解できる。したがって、特許請求の範囲の境界及び範囲に属するあらゆる修正及び変更、またはそれらの境界及び範囲の均等物は、添付の特許請求の範囲に含まれるように意図される。
【００７７】
前述の実施形態及び利点は単に例示的なもので、本発明を制限するように解釈してはならない。本教示は、他の形式の装置にも容易に適用されることができる。
【００７８】
本発明の説明は、例示的なものとして意図され、特許請求の範囲を制限するように意図されたものではない。多くの変形、修正、及び変更は、当該技術に熟練した当業者には明白である。特許請求の範囲で、手段＋機能（means-plus-function）節は、記載された機能を行いながら、本明細書に説明された構造及び構造的均等物だけでなく均等な構造を含むように意図される。
【産業上の利用可能性】
【００７９】
本発明は、ランダムアクセスに対する個別シグネチャーを割当及び選択するための異なる方法を対象とする。
【図１】
2010537472.tif 000003
【図２Ａ】
2010537472.tif 000004
【図２Ｂ】
2010537472.tif 000005
【図２Ｃ】
2010537472.tif 000006
【図３】
2010537472.tif 000007
【図４Ａ】
2010537472.tif 000008
【図４Ｂ】
2010537472.tif 000009
【図５】
2010537472.tif 000010
【国際調査報告】
2010537472.tif 000011
2010537472.tif 000012